(57)【要約】【課題】電子写真方式で形成する凹版潜像に印刷時の色重ねズレが生じても十分に凹版潜像の機能を発揮できる画像形成装置、画像形成方法を提供する。【解決手段】複数色の色材の盛り上がりにより形成された複数の潜像画線４２，４４と平行に該潜像画線４２，４４の端から延び、潜像画線４２，４４の線幅よりも狭く、色材の付着量を制限して色ズレ画線４７，４８を形成し、複数の潜像画線４２，４４と色ズレ画線４７，４８とを合成して形成し、色ズレ画線４７，４８には、潜像画線４２，４４の線幅方向に生じる色ズレに合わせて、同色の色ズレを形成する。【選択図】図４
2011164620.tif 000002
【特許請求の範囲】
【請求項１】
用紙上に複数色の色材により転写された未定着のプリント画像および潜像画像を定着部で定着する電子写真方式の画像形成装置であって、
前記潜像画像を複数の潜像画線により形成する潜像画像生成部と、
前記潜像画線と平行に該潜像画線の端から延び、前記潜像画線の線幅よりも狭い色ズレ画線を生成する色ズレ画線生成部と、
前記色ズレ画線の静電像を像担持体に形成する際に、色材の付着量を制限する画像形成処理を行う色材リミット部と、
前記潜像画線の静電像を前記像担持体に形成する際に、前記色材リミット部を経ずに画像形成処理を行って前記色ズレ画線との画像合成を行う画像合成部と、
を有し、
前記色ズレ画線生成部は、前記潜像画線の線幅方向に生じる色ズレに合わせて、前記色ズレ画線の線幅方向に同色の色ズレを形成する画像形成装置。
【請求項２】
前記潜像画像生成部は、前記複数の色ズレ画線の形成領域内に前記複数の潜像画線を形成する請求項１に記載の画像形成装置。
【請求項３】
前記潜像画像生成部は、前記潜像画像を形成する潜像画像形成領域において、前記潜像画像以外の領域に、前記色材リミット部により色材高さが制限されたカモフラージュパターンを形成し、前記潜像画像を構成する前記複数の潜像画線を等ピッチで形成し、前記カモフラージュパターンを構成する複数のカモフラージュ画線を等ピッチで形成し、前記複数の潜像画線のピッチと前記カモフラージュ画線のピッチを等しくする請求項１または２に記載の画像形成装置。
【請求項４】
前記潜像画像生成部は、前記カモフラージュ画線と、前記潜像画線とを離して形成する請求項３に記載の画像形成装置。
【請求項５】
用紙上に複数色の色材により転写された未定着のプリント画像および潜像画像を定着部で定着する電子写真方式の画像形成方法であって、
前記潜像画像を複数の潜像画線により形成する潜像画像生成工程と、
前記潜像画線と平行に該潜像画線の端から延び、前記潜像画線の線幅よりも狭い色ズレ画線を生成する色ズレ画線生成工程と、
前記色ズレ画線の静電像を像担持体に形成する際に、色材の付着量を制限する画像形成処理を行う色材リミット工程と、
前記潜像画線の静電像を前記像担持体に形成する際に、前記色材リミット工程を経ずに画像形成処理を行って前記色ズレ画線との画像合成を行う画像合成工程と、
を有し、
前記色ズレ画線生成工程は、前記潜像画線の線幅方向に生じる色ズレに合わせて、前記色ズレ画線の線幅方向に同色の色ズレを形成する画像形成方法。
【請求項６】
前記潜像画像生成工程は、前記複数の色ズレ画線の形成領域内に前記複数の潜像画線を形成する請求項５に記載の画像形成装置。
【請求項７】
前記潜像画像生成工程は、前記潜像画像を形成する潜像画像形成領域において、前記潜像画像以外の領域に、前記色材リミット工程により色材高さが制限されたカモフラージュパターンを形成し、前記潜像画像を構成する前記複数の潜像画線を等ピッチで形成し、前記カモフラージュパターンを構成する複数のカモフラージュ画線を等ピッチで形成し、前記複数の潜像画線のピッチと前記カモフラージュ画線のピッチを等しくする請求項５または６に記載の画像形成方法。
【請求項８】
前記潜像画像生成工程は、前記カモフラージュ画線と、前記潜像画線とを離して形成する請求項７に記載の画像形成方法。
【請求項９】
請求項請求項５から８のいずれかに記載の画像形成方法により、用紙に潜像とプリント画像との合成画像を形成した画像形成物。
【発明の詳細な説明】
【技術分野】
【０００１】
本発明の実施形態は、電子写真方式によりプリント用紙に凹版潜像を形成する画像形成装置、画像形成方法および凹版潜像が形成された画像形成物に関する。
【背景技術】
【０００２】
従来、偽造防止技術の一つとして、商品券や証券等に凹版印刷により潜像を形成した凹版潜像が知られている（特許文献１）。このような商品券や証券等に用いられる凹版印刷の原理は、図７に示すように、用紙１００上に盛り上がった状態で印刷できる特殊のインクにより幅ｗで印刷した第１の直線１０１と、通常のインク（盛り上がりがないインク）により幅ｗで印刷した第２の直線１０２とを一本の線として印刷した連続線１０３を一定ピッチで平行に複数本印刷した場合、矢印Ａで示す正面から用紙１００を見ると、図８に示すように、複数の連続線１０３はそれぞれ一本の線として別々に見え、しかも第１の直線１０１と第２の直線１０２との境界も見えない一本の線として見える。この場合、連続線１０３は中間調濃度で見える。これに対し、矢印Ｂで示す正面に対して斜め方向から用紙１００を見ると、図９に示すように、第１の直線１０１を構成する盛り上がったインクで第１の直線１０１の間の用紙１００の表面が隠されるため、これら第１の直線１０１が濃く見えて第２の直線１０２に対して濃淡が出現し、複数の第１の直線１０１が太い１本線１０４のように見える。すなわち、この１本線１０４が潜像をなすことになる。なお、矢印Ｃで示す側面から用紙１００を見ると、複数の連続線１０３は単に中間調濃度の複数本の連続線１０３としてそれぞれ別々に見える。
【０００３】
このような凹版印刷は、特殊なインクを使用し、極めて高度な印刷技術を要し、凹版も非常に高価なものとなっている。
【０００４】
そして、凹版潜像が印刷された商品券や証券等の印刷物は、印刷物を斜めから見ることで初めて凹版潜像が出現することが確認できれば、当該印刷物が本物であることの証となる。しかし、正面から凹版潜像印刷箇所を見たときに、潜像が僅かでも見えた場合には真贋に疑念が生じるため、当該印刷物は本物として取り扱うことができなくなる。
【０００５】
このような凹版潜像をレーザービームプリンタ等の電子写真方式の画像形成装置を用いてトナー画像として形成することが提案されている。
【０００６】
例えば、レーザービームプリンタにより凹版潜像を転写材である用紙上にプリント画像と共に形成する場合、Ｃ（シアン），Ｍ（マゼンタ），Ｙ（イエロー）、Ｋ（ブラック）の各色のトナーを、凹版潜像を構成する画線に順次付着させ、凹版潜像画像を構成するトナーを高く盛り上げる。レーザービームにより像担持体上に静電潜像を形成する場合、レーザービームは主走査方向に走査するのに対し、像担持体は副走査方向に移動するため、例えばＣ色の画像の静電潜像とＭ色の画像の静電潜像は物理的に同じ位置に形成されず、ずれを生じる。凹版潜像を形成するトナーは高く盛り上がっているため、印刷時の色重ねズレが凹版潜像画像内で一様に生じ、色ずれが視覚的に認識できる場合があり、凹版潜像としての役割が低下する。
【先行技術文献】
【特許文献】
【０００７】
【特許文献１】特開平１１−２９１６０９号公報
【発明の概要】
【発明が解決しようとする課題】
【０００８】
本発明が解決しようとする課題は、凹版潜像に印刷時の色重ねズレが生じても十分に凹版潜像の機能を発揮できる画像形成装置、画像形成方法および画像形成物を提供することにある。
【課題を解決するための手段】
【０００９】
実施形態の画像形成装置は、用紙上に複数色の色材により転写された未定着のプリント画像および潜像画像を定着部で定着する電子写真方式の画像形成装置であって、前記潜像画像を複数の潜像画線により形成する潜像画像生成部と、前記潜像画線と平行に該潜像画線の端から延び、前記潜像画線の線幅よりも狭い色ズレ画線を生成する色ズレ画線生成部と、前記色ズレ画線の静電像を像担持体に形成する際に、色材の付着量を制限する画像形成処理を行う色材リミット部と、前記潜像画線の静電像を前記像担持体に形成する際に、前記色材リミット部を経ずに画像形成処理を行って前記色ズレ画線との画像合成を行う画像合成部と、を有し、前記色ズレ画線生成部は、前記潜像画線の線幅方向に生じる色ズレに合わせて、前記色ズレ画線の線幅方向に同色の色ズレを形成する。
【００１０】
実施形態の画像形成方法は、用紙上に複数色の色材により転写された未定着のプリント画像および潜像画像を定着部で定着する電子写真方式の画像形成方法であって、前記潜像画像を複数の潜像画線により形成する潜像画像生成工程と、前記潜像画線と平行に該潜像画線の端から延び、前記潜像画線の線幅よりも狭い色ズレ画線を生成する色ズレ画線生成工程と、前記色ズレ画線の静電像を像担持体に形成する際に、色材の付着量を制限する画像形成処理を行う色材リミット工程と、前記潜像画線の静電像を前記像担持体に形成する際に、前記色材リミット工程を経ずに画像形成処理を行って前記色ズレ画線との画像合成を行う画像合成工程と、を有し、前記色ズレ画線生成工程は、前記潜像画線の線幅方向に生じる色ズレに合わせて、前記色ズレ画線の線幅方向に同色の色ズレを形成する。
【００１１】
実施形態の画像形成物は、上記画像形成方法により、用紙に潜像とプリント画像との合成画像を形成したものである。
【図面の簡単な説明】
【００１２】
【図１】実施形態による画像形成装置の全体構成を示す縦断面図。
【図２】図１の画像形成装置のシステム構成を示すブロック図。
【図３】図１の画像形成装置によりプリントされた凹版潜像付きの用紙を示す図。
【図４】図３の凹版潜像の部分拡大図。
【図５】図４の矢印Ｃで示す部分の拡大図
【図６】図４の凹版潜像との比較のために色ズレ画線を削除した凹版潜像の部分拡大図。
【図７】凹版潜像の原理を説明するための図。
【図８】図７のＡ矢視図。
【図９】図７のＢ矢視図。
【発明を実施するための形態】
【００１３】
以下、実施形態の画像形成装置を図面に基づいて説明する。
【００１４】
図１は実施形態の画像形成装置の全体構成を示す縦断面図、図２は図１の画像形成装置のシステム構成を示すブロック図、図３は潜像印刷モードを選択してプリント画像と共に潜像をプリントした印刷物の一例を示す図。図４は図３の凹版潜像の部分拡大図、図５は図４の矢印Ｃで示す部分の拡大図、図６は図４の凹版潜像との比較のためにカモフラージュ線を削除した凹版潜像の部分拡大図。
【００１５】
図１、図２において、本実施形態の画像形成装置１は、電子写真方式の多機能プリンタ（ＭＦＰ）で、装置本体２の上部に自動原稿供給装置（ＡＤＦ）３が配置され、原稿トレイ上に積載した原稿を一枚ずつ画像読取部（スキャナ）４に搬送する。画像読取部４は、ＡＤＦ３からの原稿を読取るモードと、原稿台ガラス５上に載置した原稿を読取るモードを有し、読取った原稿情報（スキャナデータ）が第１画像処理部６でＲＧＢスキャナデータに処理されてストレージ部１４に入力される。
【００１６】
また、パソコン（ＰＣ）１１からの原稿情報は、外部インターフェース部（外部Ｉ/Ｆ部）１２を介してプリンタコントローラ部１３に入力され、一旦ストレージ部１４にメモリされる。
【００１７】
ここで、ストレージ部１４は、プリント画像である原稿情報の情報をメモリする第１メモリ１５と、後述する凹版潜像情報、後述する色ズレ画線４７、４８および後述するカモフラージュ画線４６の情報がメモリされた第２メモリ１６を有し、通常プリントモードの場合には第１メモリ１５の原稿情報が第１メモリ制御部１７に入力され、第１メモリ制御部１７で制御された原稿情報が第２画像処理部１９に入力される。第２画像処理部１９は、処理部２０において、原稿情報についてＹ（イエロー）、Ｍ（マゼンタ）、Ｃ（シアン）、Ｋ（ブラック）の各色の画像データに分離する等の画像処理を施す。
【００１８】
ここで、原稿画像のみを印字する場合には、処理部２０から各色毎の情報が画像形成部７に出力される。処理部２０では、トナーである色材の付着量を制限するための色材リミット部２１を有し、画像形成部７において像担持体である感光体ドラムに付着するトナーの付着量を制限する。用紙に転写された未定着トナー画像の付着量（高さ）が多いと定着不良を招き、また色材の散りが発生するので、これらの現象を防止するために、色材の付着量を制限する。色材の付着量の制限方法としては、例えば、感光体ドラムの帯電電位、レーザー露光の出力等の静電像の成形処理を制限する方法が例示できる。
【００１９】
画像形成装置１の画像形成部７は、Ｙ（イエロー）、Ｍ（マゼンタ）、Ｃ（シアン）、Ｋ（ブラック）の色毎に設けられ（７Ｙ，７Ｍ，７Ｃ，７Ｋ）、各画像形成部（７Ｙ，７Ｍ，７Ｃ，７Ｋ）はそれぞれ感光体ドラム，レーザーユニット，現像器、帯電器、クリーニング装置等で構成されている。
【００２０】
各画像形成部（７Ｙ，７Ｍ，７Ｃ，７Ｋ）は色材であるＹ（イエロー）、Ｍ（マゼンタ）、Ｃ（シアン）、Ｋ（ブラック）の各色のトナーによりトナー画像をそれぞれ一次転写帯電器３４が配置された一次転写位置で中間転写ベルト８に順次重ねて形成し、二次転写帯電器３５が配置された転写位置で重なったトナー画像をプリント用のシートに転写する。そして、未定着トナー画像の転写されたシートは定着部９に向けて搬送され、定着部９において未定着トナー画像が加熱・加圧されてシートに定着され、定着済みのシートは、例えば片面プリントの場合には排紙トレイ１０に排紙される。
【００２１】
一方、ストレージ部１４の第２メモリ１６には、例えばパソコン１１で形成した潜像（潜像画像元データ）、後述する色ズレ画線４７、４８および後述するカモフラージュ画線４６の情報がメモリされている。第２メモリ１６にメモリされる潜像画像元データは、文字，図形，記号、画像データあるいはこれらを組み合わせ情報等により構成されていて、潜像印字選択スイッチ２４のＯＮ信号が制御部２３に出力されると、制御部２３は第２メモリ１６にメモリされている潜像画像元データを第２メモリ制御部１８に格納し、色ズレ画線４７、４８およびカモフラージュ画線４６を第１メモリ制御部１７に格納する。
【００２２】
図３は、プリント用の用紙Ｓにプリント画像印字部Ｓ１と凹版潜像印字部Ｓ２を印字した状態を示しており、プリント画像印字部Ｓ１の画像は色材リミット部２１により色材量が制限されて所定量（所定高さ）以上にならないようにしている。
【００２３】
これに対し、凹版潜像印字部Ｓ２に印字される潜像を構成する画線（後述の色ズレ画線４７，４８、およびカモフラージュ画線４６を除く）は図７〜図９に示すように、ある程度の高さを必要とする。そこで色材リミット部２１による制限を受けずにトナーが盛り上がるようにするため、色材リミット部２１の後段側に設けた画像合成部２２に潜像画像データを第２制御部１８から出力する。しかし、色ズレ画線４７、４８およびカモフラージュ画線４６は原稿画像と同様にトナーを高く盛り上げないので、色材リミット部２１を通して色材量を制限する。
【００２４】
制御部２３は、第２メモリ制御部１８から画像合成部２２に合成用画像データ２３ａを出力する。また、制御部２３は合成用画像ＯＮ/ＯＦＦ制御信号２３ｂを画像合成部２２に出力し、合成用画像ＯＮ/ＯＦＦ制御信号２３ｂが「０」の場合には画像合成はなし、「１」の場合には画像合成の指示を行う。画像合成を行う際に、合成用画像データは、色材を盛り上げるために各色信号に重み付け係数２３ｃを掛け合わせてデータを生成する。
【００２５】
図３において、凹版潜像印字部Ｓ２に形成される凹版潜像４０を中抜きの四角形とし、中抜き四角形枠部４１を右下がり傾斜の複数の潜像画線４２で形成し、中抜き部分４３を右上がり傾斜の複数の潜像画線４４で形成し、これら潜像画線４２、４４をトナーの盛り上げにより形成している。
【００２６】
また、凹版潜像４０の中抜き四角形枠部４１の外周部分４５には、カモフラージュパターンとして右上がり傾斜の複数のカモフラージュ画線４６を形成しており、カモフラージュ画線４６を色材リミット２１により色材高さの制限を受けた画像として形成している。
【００２７】
本実施形態において、図４に示すように、互いに直交する各潜像画線４２と４４の端から平行に延びる色ズレ画線４７，４８を例えば四角形枠部４１の外周縁まで延長して形成している。色ズレ画線４７，４８は、各潜像画線４２と４４の画線幅よりも狭い画線幅に形成している。なお、色ズレ画線４７，４８を凹版潜像形成領域Ｓ２の外周縁まで延長してもよい。
【００２８】
色ズレ画線４７、４８およびカモフラージュ画線４６は、第２メモリ１６に潜像画像元データと共にメモリされ、潜像印字選択スイッチ２４のＯＮにより、該潜像画像元データとは別に第１メモリ制御部１７に格納される。なお、図３、図４に示す凹版潜像４０は、用紙Ｓを左回りに４５度回した状態で斜め上方から見ると四角形枠部４１の凹版潜像が視認でき、逆に用紙Ｓを右回りに４５度回した状態で斜め上方から見ると中抜き部分４３の凹版潜像が視認できる。
【００２９】
図５に示すように、潜像画線４４について、例えば潜像画線本線部４４Ａに対してマゼンダの色部分であるＭ色部分４４Ｍがズレて形成され、結果として色ズレを生じている場合には、潜像画線４４に重なる細線の色ズレ画線４８を形成する。細線の色ズレ画線４８は、色ズレ画線本線部４８Ａに対して、Ｍ色部分４４Ｍと同色のＭ色線部４８Ｍをずらして形成する。その際、潜像画線４４に対し、色ズレ画線４８は、潜像画線本線部４４Ａと色ズレ画線本線部４８Ａとを重なるように、またＭ色部分４４ＭとＭ色線部４８Ｍを重なるように形成する。その際、色ズレ画線４８を潜像画線４４の線幅内に収まるように形成する。なお、色ズレ画線４８は、色ズレ画線本線部４８ＡとＭ色部分４８Ｍとを別々にレーザー光の露光により像担持体上に形成する。
【００３０】
また、潜像画線４４で構成される潜像領域の外側に形成される潜像画線４２について、上記の場合と同様に色ズレ画線４７を潜像画線４２に重ねて形成する。例えば潜像画線本線部４２Ａに対してシアンの色部分であるＣ色部分４２Ｃがズレて形成され、結果として色ズレを生じている場合には、潜像画線４２に重なる細線の色ズレ画線４７を形成する。細線の色ズレ画線４７は、色ズレ画線本線部４７Ａに対して、Ｃ色部分４２Ｍと同色のＣ色線部４７Ｃをずらして形成する。その際、潜像画線４２に対し、色ズレ画線４７は、潜像画線本線部４２Ａと色ズレ画線本線部４７Ａとを重なるように、またＣ色部分４２ＣとＣ色線部４７Ｃを重なるように形成する。その際、色ズレ画線４７を潜像画線４２の線幅内に収まるように形成する。なお、色ズレ画線４７は、色ズレ画線本線部４７ＡとＣ色部分４７Ｃとを別々にレーザー光の露光により像担持体上に形成する。
【００３１】
このように色ズレ画線４７、４８は、潜像画線４２，４６に生じる色ズレに合わせて同様の色ズレを有するように制御して形成している。図６に示すように、色ズレ画線４７、４８が存在しない場合には、潜像画線４２、４６に生じる色ズレは目立つ。これに対し、図４に示すように、色ズレ画線４７、４８の存在自体によりカモフラージュ効果が生じ潜像画線４２、４６の色ズレが目立たなくなる。
【００３２】
さらに、色ズレ画線４７、４８自体も潜像画線４２、４６の色ズレに合わせた同様の色ズレパターンで形成している。このため、潜像画線４２，４６は同じ色ズレを有する複数本の色ズレ画線４７，４８の中に溶け込んだように存在することになり、色ズレのカモフラージュ効果が生じ、複数本の潜像画線４２，４６を上方から見ても単なる画線と認識するだけで、その箇所に凹版潜像が潜んでいるとの認識がし難くなる。
【００３３】
次に、潜像印字モードを選択した場合の画像形成動作を説明する。
【００３４】
前記操作部に設けられた潜像印字選択スイッチ２４のＯＮにより、画像合成部２２に潜像画像データが出力され、潜像印字部Ｓ２に色材リミット部２１の制限を受けることなく色材の盛り上げを許容した潜像画像の形成を可能とし、スタートスイッチ２９がＯＮされるのを待つ。また、処理部２０では画像印字部Ｓ１に印字する原稿情報と、潜像画像、色ズレ画線４７，４８およびカモフラージュ細線４６の情報を第２画像処理部１９に出力し、スタートスイッチ２９がＯＮされるのを待つ。
【００３５】
スタートスイッチ２９がＯＮされると、プリント画像、カモフラージュ細線４６及び色ズレ画線４７，４８の画像信号が色材リミット部２１で色材付着量を制限されて画像形成部７に出力される。また、画像合成部２２から色材リミットが解除された各色の潜像画像信号が画像形成部７に出力される。
【００３６】
具体的には、各色の画像形成部（７Ｙ，７Ｍ，７Ｃ，７Ｋ）の感光体ドラムにレーザー露光光学系により主走査方向に画像光がスキャンされ、現像器により画像部分にトナーが付着し、感光体ドラム上のトナー画像が中間転写ベルト８に一次転写帯電器３４により一次転写位置で転写される。感光体ドラムに形成された静電像（凹版潜像とは異なる）を現像器により現像して付着するトナー量は、色材リミット部２１で制限を受けた画像については最大量が規定されるのに対し、色材リミット部２１を経ずに画像合成部２２に出力された潜像画像については凹版潜像としての効果が得られる高さとなるように制限されたトナー付着量を超えて現像される。なお、潜像印字部Ｓ２に印字する複数の潜像画線４２、４４はそれぞれ等間隔に形成される。また、カモフラージュ画線４６の間隔を潜像画線４２，４６の間隔と等しくしている。
【００３７】
そして、各色の画像形成部（７Ｙ，７Ｍ，７Ｃ，７Ｋ）は、図３に示すように、プリント用の用紙Ｓの画像印字部Ｓ１に色材リミット部２１によりトナー付着量の最大値が制限された原稿画像を形成し、用紙Ｓの潜像印字部Ｓ２に凹版潜像を形成する。
【００３８】
本実施形態において、四角形枠部４１に形成する潜像画線４２と、潜像画線４２を取り囲む外周部分４５に形成するカモフラージュパターンの画線４６との端を合わせずに離して形成している。トナーの盛り上がった潜像画線４２と、色材量が制限されて低いカモフラージュパターンの画線４６の端がつながっていると、定着部で加圧・加熱による定着の際に、潜像画線４２の盛り上がったトナーがカモフラージュパターンの画線４６側に流れ、両者が繋がって例えば傾斜面をなすので、凹版潜像の境界が目立つ。しかし、潜像画線４２の端とカモフラージュパターンの画線４６との端を離して形成しているので、凹版潜像の境界が目立つことはない。
【００３９】
なお、本実施形態では、潜像画線４２の外周にカモフラージュ画線４６を形成しているが、潜像画線４２（４６）を原稿画像に隣接して形成することもでき、その際、潜像画線の端は原稿画像と離して形成する。したがって、真上から潜像画像を見たときの潜像パターンと非潜像パターンのつなぎ目の目立ちを低減させることができる。
【００４０】
上記した実施形態では、潜像表示部Ｓ２を用紙Ｓの上部に設定したが、これに限定されることはなく、用紙Ｓ上における印字可能な領域であればどのような領域に潜像表示部を設定することができる。
【００４１】
本実施形態で説明した処理は、制御部２３に設けられた記憶領域に予め記憶されているプログラムを第１メモリ制御部１７、第２メモリ制御部１８、第２画像処理部１９に実行させる場合を例示したが、プログラムをネットワークから複写機にダウンロードしても良く、プログラムをコンピュータ読み取り可能な記録媒体に記憶させたものを複写機にインストールしても良い。記録媒体としては、プログラムを記憶でき、かつコンピュータが読み取り可能な記録媒体であれば良い。記録媒体としては、例えば、ＲＡＭ（Random Access Memory）、ＲＯＭ（Read Only Memory）、ＤＲＡＭ、ＳＲＡＭ（Static Random Access Memory）、ＶＲＡＭ（Video RAM）、フラッシュメモリを用いることができる。
【００４２】
本発明は、その精神または主要な特徴から逸脱することなく、他の様々な形で実施できる。そのため、前述の実施の形態はあらゆる点で単なる例示に過ぎず、限定的に解釈してはならない。本発明の範囲は、特許請求の範囲によって示すものであって、明細書本文には、なんら拘束されない。さらに、特許請求の範囲の均等範囲に属する全ての変形、様々な改良、代替および改質は、すべて本発明の範囲内のものである。
【符号の説明】
【００４３】
１  画像形成装置
２  装置本体
３  自動原稿供給装置（ＡＤＦ）
４  画像読取部（スキャナ）
５  原稿台ガラス
６  第１画像処理部
７（７Ｙ，７Ｍ，７Ｃ，７Ｋ）  画像形成部
８  中間転写ベルト
９  定着部
１０  排紙トレイ
１１  パソコン
１２  外部インターフェース部（外部Ｉ/Ｆ部）
１３  プリンタコントローラ部
１４  ストレージ部
１５  第１メモリ
１６  第２メモリ
１７  第１メモリ制御部
１８  第２メモリ制御部
１９  第２画像処理部
２０  処理部
２１  色材リミット部
２２  画像合成部
２３  制御部
２３ａ  合成用画像データ      ２３ｂ  合成用画像ＯＮ/ＯＦＦ制御信号      ２３ｃ  重み付け係数（％）
２４  潜像印字選択スイッチ
２８  スタートボタン
２９  スタートスイッチ
Ｓ  用紙
Ｓ１  画像印字部
Ｓ２  潜像印字部
【図１】
2011164620.tif 000003
【図２】
2011164620.tif 000004
【図３】
2011164620.tif 000005
【図７】
2011164620.tif 000006
【図８】
2011164620.tif 000007
【図９】
2011164620.tif 000008
【図４】
2011164620.tif 000009
【図５】
2011164620.tif 000010
【図６】
2011164620.tif 000011